(57)【要約】【課題】本体の寸法を変えることなく、表示部、操作部およびスピーカのいずれをも小さくすることなく、それらの２つまたは３つを大きくすることができるスピーカを備えた電子機器の構造を提供する。【解決手段】フロントケース背後に配置され後端に取り付けられたスピーカ７の音をフロントケース前面側に放射させるホルダ６の前端に切り欠き６ａを設け、切り欠き６ａに表示部３の一部を配置した。【選択図】        図１
2005328339.tif 000002
【特許請求の範囲】
【請求項１】
フロントケース背後に配置され後端に取り付けられたスピーカの音をフロントケース前面側に放射させるホルダの前端に切り欠きを設け、前記切り欠きに表示部の一部を配置したとを特徴とするスピーカを備えた電子機器の構造。
【請求項２】
フロントケース背後に配置され後端に取り付けられたスピーカの音をフロントケース前面側に放射させるホルダの前端に切り欠きを設け、前記切り欠きに操作部の一部を配置したとを特徴とするスピーカを備えた電子機器の構造。
【請求項３】
フロントケース背後に配置され後端に取り付けられたスピーカの音をフロントケース前面側に放射させるホルダの前端の上下に切り欠きを設け、前記各切り欠きに表示部の一部と操作部の一部とを配置したとを特徴とするスピーカを備えた電子機器の構造。
【発明の詳細な説明】
【技術分野】
【０００１】
この発明はスピーカを備えた電子機器に係わり、特に、その構造に関する。
【背景技術】
【０００２】
従来の無線機の例を図６により説明する。図６に示す無線機１１のフロントケース１２には表示部３、操作部４およびスピーカ５が略同一平面上に並べるようにして配置されている。
【０００３】
上記構造の従来の無線機では、本体の寸法を変えることなく、表示部を見やすいように大きくすると、スピーカを小さくしなければならず、十分な音圧が確保できなくなるという問題が発生する。
【０００４】
逆に音圧を上げるためにスピーカを大きくすると、表示部が小さくなり表示が見にくくなるという問題があった。このような事情は操作部についても同じである。すなわち、本体を大きくすることなく、表示部、操作部およびスピーカのいずれをも大きくすることは不可能であった。
【発明の開示】
【発明が解決しようとする課題】
【０００５】
この発明は上記した点に鑑みてなされたものであって、その目的とするところは、本体の寸法を変えることなく、表示部、操作部およびスピーカのいずれをも小さくすることなく、それらの２つまたは３つを大きくすることができるスピーカを備えた電子機器の構造を提供することにある。
【課題を解決するための手段】
【０００６】
この発明のスピーカを備えた電子機器の構造は、フロントケース背後に配置され後端に取り付けられたスピーカの音をフロントケース前面側に放射させるホルダの前端に切り欠きを設け、前記切り欠きに表示部の一部を配置したものである。
【０００７】
また、この発明のスピーカを備えた電子機器の構造は、フロントケース背後に配置され後端に取り付けられたスピーカの音をフロントケース前面側に放射させるホルダの前端に切り欠きを設け、前記切り欠きに操作部の一部を配置したものである。
【０００８】
さらに、この発明のスピーカを備えた電子機器の構造は、フロントケース背後に配置され後端に取り付けられたスピーカの音をフロントケース前面側に放射させるホルダの前端の上下に切り欠きを設け、前記各切り欠きに表示部の一部と操作部の一部とを配置したものである。
【発明の効果】
【０００９】
この発明によれば、機器本体の大きさを変えることなく、フロントケースに取り付けられるスピーカ、表示部、操作部等を大きくすることができる。すなわち、表示部を見やすくし、操作部の操作が容易となり、スピーカの音圧を高めることができる。
【００１０】
また、スピーカとフロントケースとの間のホルダ内の空間でヘルムホルツ共鳴させ共振信周波数を高くすることができる。この共鳴により同じスピーカをフロントケースに密着させた場合よりも強調する周波数の音圧を上げることができる。そして、ホルダの寸法を適宜変化させることによりヘルムホルツの理論により希望の音質を得ることができる。
【発明を実施するための最良の形態】
【００１１】
以下この発明を実施するための最良の形態を実施例に即して説明する。
【実施例１】
【００１２】
図１はこの発明の実施例１である無線機の要部を示す分解斜視図。図２（ａ）は同無線機に用いられるホルダを示す正面図、図２（ｂ）は同ホルダを示す側面図、図３（ａ）は同無線機を示す正面図、図３（ｂ）は同無線機の一部断面を示す側面図である。
【００１３】
図３に示すように、無線機１のフロントケース２には表示部３、操作部４およびスピーカ５が取り付けられている。この例ではスピーカ５は図２に詳しく示すホルダ６を介してフロントケース２に取り付けられる。図２に示すように、ホルダ６は前後方向に吹抜構造となっており、前端側に切り欠き６ａが形成されている。
【００１４】
図１にスピーカ５、ホルダ６および表示部３の位置関係を示す。図１に示すように、スピーカ５はガスケット７を介してホルダ６の後端（図１における下面）に固着される。ホルダ６の前端側の切り欠き６ａには表示部３が入り込む。そして、ホルダ６の前端はフロントケースに固着される。
【００１５】
従って、図３に示すようにフロントケース２上でスピーカ５と表示部３とが一部重なった状態に配置されるので、無線機の大きさを変えずに、表示部３およびスピーカ５を大きくすることができる。
【実施例２】
【００１６】
図４（ａ）はこの発明の実施例２である無線機のホルダを示す正面図、図４（ｂ）は同ホルダを示す側面図、図５は同無線機を示す正面図である。この例ではスピーカ５をフロントケース１０に取り付けるホルダ９の前端に切り欠き９ａおよび９ｂが設けられている。
【００１７】
そして、図５に示すように切り欠き９ａに操作部４が入り込み、切り欠き９ｂに表示部３が入り込りこむ。この例では無線機の大きさを変えずに、スピーカ、表示部および操作部をさらに大きくすることができる。
【図面の簡単な説明】
【００１８】
【図１】この発明の実施例１である無線機の要部を示す分解斜視図である。
【図２】図２（ａ）は同無線機に用いられるホルダを示す正面図、図２（ｂ）は同ホルダを示す側面図である。
【図３】図３（ａ）は同無線機を示す正面図、図３（ｂ）は同無線機の一部断面を示す側面図である。
【図４】図４（ａ）はこの発明の実施例２である無線機のホルダを示す正面図、図４（ｂ）は同ホルダを示す側面図である。
【図５】同無線機を示す正面図である。
【図６】図６（ａ）は従来の無線機の例を示す正面図、図６（ｂ）は同無線機の一部断面を示す側面図である。
【符号の説明】
【００１９】
１  無線機
２  フロントケース
３  表示部
４  操作部
５  スピーカ
６  ホルダ、６ａ  切り欠き
７  ガスケット
８  無線機
９  ホルダ、９ａ、９ｂ  切り欠き
１０  フロントケース
１１  無線機
１２  フロントケース
【図１】
2005328339.tif 000003
【図２】
2005328339.tif 000004
【図３】
2005328339.tif 000005
【図４】
2005328339.tif 000006
【図５】
2005328339.tif 000007
【図６】
2005328339.tif 000008